(57)【特許請求の範囲】
【請求項１】
方位磁石と水準器とを並べて配置した基準部及びこの基準部の上面と平行な回転軸を有する回動固定部を備えた測定部と、
前記回動固定部を回動可能に支持すると共に回動固定部の一部側面を露出させる確認窓を有した本体部及び前記回動固定部の回転軸と平行な底面を有する取付部を備えた基体部とで形成され、
前記回動固定部の側面に角度目盛を有すると共に、この角度目盛が前記確認窓から視認可能とされていることを特徴とする天測用調整具。
【請求項２】
前記確認窓には指標を有し、前記角度目盛は、前記基準部の上面と前記取付部の底面を平行としたとき、前記確認窓の指標に角度目盛の基準点が位置し、前記測定部が前記基体部に対して回動したとき、前記測定部の上面が形成する平面と前記取付部の底面が形成する平面との二平面が交わる角度を前記指標の位置に位置する角度目盛で表示するものであることを特徴とする請求項１に記載した天測用調整具。
【請求項３】
前記方位磁石の近傍又は前記方位磁石を覆うカバーガラスには、前記取付部及び前記基準部の中心を通り、前記回転軸と直交する平面にして前記方位磁石の中心を通る平面の方向を示す指標が設けられていることを特徴とする請求項１または請求項２に記載した天測用調整具。
【発明の詳細な説明】
【技術分野】
【０００１】
本発明は、天体写真等に用いる赤道義などの設定を容易とするために赤道義などに着脱可能とされた調整具に関するものである。
【背景技術】
【０００２】
今日、天体観測に望遠鏡やカメラを使用する際、三脚に赤道義を取り付けて望遠鏡やカメラを固定し、モータにより望遠鏡やカメラを極軸を中心として微速で回転させることにより、カメラや望遠鏡の視野を天体の運行に合わせて移動させつつ観測を行うことが行われている。
【０００３】
この天体観測は、野外で行われることが多く、野外への携帯が容易であり、且つ、三脚への取付も簡単に行うことのできる簡易赤道義が種々提案され（例えば特許文献１）、且つ、実用化されている。
【０００４】
このような簡易赤道義は、一般に三脚に固定された後、カメラや望遠鏡を回転させる回転部分の回転軸を極軸に一致させる調整が行われる。
【０００５】
そして、日本などの北半球に位置する地域では、多くの場合、この極軸の調整に北極星が利用され、天空中の北極星を見出すためには磁石による北方向の確認や予め観測点の緯度を調べておくことによって北極星の高度を知っておくことが行われ、北極星の位置を確認して赤道義における回転部分の回転軸の方向を北極星の方向に調整している。
【０００６】
また、南半球では、極軸の基準となる星がないため、測定点の緯度（高度）や方位のみで極軸を定めており、視準高度の決定や方位の決定に注意を払いつつ極軸の設定を行っている。
【０００７】
尚、基台を有する赤道義であって、赤道義を三脚に固定する基台を水平に固定する必要のある機器では、基台の一部に水準器が設けられて赤道義の基台を水平に設定することが容易にできるようにしているものもある。
【先行技術文献】
【特許文献】
【０００８】
【特許文献１】特開２００２−２８７２１６号公報
【発明の概要】
【発明が解決しようとする課題】
【０００９】
簡易赤道義は、携帯には比較的便利であるも、回動板を極軸と直交する平面として回転部に固定したカメラ等を極軸を中心に微速回転させるものであるため、北半球の観測地点では、北極星を見定めて極軸の設定を行うも、極軸の基準とする北極星の位置確認が天体観測に不慣れな入門者には困難な場合があり、回動板の方向設定に時間と手数を要することがあった。
【００１０】
本発明は、この様な欠点を排除し、種々の形式の簡易赤道義等の設定調整を容易に行うことができる補助調整具を提供するものである。
【課題を解決するための手段】
【００１１】
本発明に係る天測用調整具は、方位磁石と水準器とを並べて配置した基準部及びこの基準部の上面と平行な回転軸を有する回動固定部を備えた測定部と、前記回動固定部を回動可能に支持すると共に回動固定部の一部側面を露出させる確認窓を有した本体部及び前記回動固定部の回転軸と平行な底面を有する取付部を備えた基体部とで形成され、前記回動固定部の側面に角度目盛を有すると共に、この角度目盛が前記確認窓から視認可能とされるものである。
【００１２】
また、前記確認窓には指標を有し、前記角度目盛は、基準部の上面と取付部の底面を平行としたとき、確認窓の指標に角度目盛の基準点が位置し、測定部が基体部に対して回動したとき、測定部の上面が形成する平面と取付部の底面が形成する平面との二平面が交わる角度を前記指標の位置に位置する角度目盛で表示するものとしている。
【００１３】
そして、前記方位磁石の近傍又は方位磁石を覆うカバーガラスには、取付部及び基準部の中心を通り、且つ、回転軸と直交する平面にして、方位磁石の中心を通る平面の方向を示す指標を設けることとしている。
【発明の効果】
【００１４】
本発明に係る天測用調整具は、方位磁石と水準器を並べた基準部を取付部を備えた基準部に回動可能とするものであるため、小型軽量として携帯を容易とすることが可能であると共に、取付部によりカメラや雲台に固定してカメラや雲台などの機器に容易に取り付けてカメラや雲台の機器の向く方位と仰角などの方向を容易に設定又は確認することができる。
【００１５】
そして、水準器により測定部の上面を水平として確認窓の角度目盛により取付部の底面を水平より所定の角度とすることができるものであり、確認窓に指標を設けることにより、取付部の底面の水平からの傾きを容易に読み取りまたは傾きの設定を行うことが出る。
【００１６】
さらに、水準器と合わせて方位磁石を設けることにより、測定部の上面を水平として測定部即ち天測用調整具の向きを北に合わせることができ、方位磁石の近傍に指標としての突起を、又はカバーガラスに指標としての指標線を設けることにより、測定部などこの天測用調整具の中心軸の向きを容易に知ることができる。
【図面の簡単な説明】
【００１７】
【図１】本発明に係る天測用調整具の外観斜視図。
【図２】本発明に係る天測用調整具の側面図。
【図３】本発明に係る天測用調整具の分解斜視図。
【図４】本発明に係る天測用調整具の使用例を示す図。
【図５】本発明に係る天測用調整具に用いる固定スペーサを示す図。
【発明を実施するための形態】
【００１８】
本発明に係る天測用調整具は、天体観測用雲台等に取り付けて所定の平面を極軸と直交させるように調整設定する際に用いる補助具であって、図１はこの天測用調整具10の全体の外観を示す斜視図であり、図２は図１の逆側を示す側面図である。
【００１９】
この天測用調整具10は、図１及び図２に示すように、厚肉円盤状の本体部43の外周にして図面上の下方に突出する取付部45を備えた基体部41と、本体部43の中心を回動中心とする回動固定部27により所定範囲で基体部41に対して回動可能とされて図面上で本体部43の上方に配置される基準部23を備えた測定部21とを有する天測用調整具10である。
【００２０】
この測定部21は、図３に示すように、下方に円盤状の回動固定部27を有し、回動固定部27の中央には軸穴29を備え、回動固定部27の側面には軸穴29の中心から放射状とされて中心角が１度間隔とされるようにして描かれた細線を１６０度乃至１８０度程度の中心角を有する扇方に形成した目盛部39を有し、目盛部39と略対象の位置の回動固定部27の周縁から突出する基準部23を有するものである。
【００２１】
この基準部23は、その上面25に方位磁石としての円板磁石33が回転可能に取り付けられると共に水準器31が円板磁石33と並べて取り付けられるものであり、水準器31により基準部23の上面25が水平か否かの確認を容易に行えるようにしているものである。
【００２２】
また、円板磁石33は、上面25と平行な平面で回転可能に基準部23に取り付けられ、カバーガラス35で覆われるものであって、円板磁石33の表面には「Ｎ」「Ｓ」「Ｅ」「Ｗ」の方位記号が９０度間隔で表示されると共に、表面の周縁近傍には円板磁石33の中心から中心角を１度間隔とする目盛が表示されている。
【００２３】
更に、カバーガラス35には、回動固定部27の側面と平行な平面であって、方位磁石である円板磁石33の中心や水準器31の中心を通る基準部23の中心及び基体部41の中心を通り、回動固定部27の回転中心軸と直交する平面の位置方向を示す指標線37が描かれている。
【００２４】
尚、この基準部23等の中心を通る平面の方向を示す指標としては、カバーガラス35に描く指標線37に限ることなく、方位磁石である円板磁石33の近傍となる基準部23の上面25の適宜位置に突起38を設けることにより方位の指標とすることもある。
【００２５】
そして、基体部41は、図１に示したように、測定部21における回動固定部27を収納しうる厚肉円盤形状の本体部43を備え、該本体部43の下方に平板状の取付部45を突出させているものであって、図３に示したように、基体部41は右部材61と左部材65で構成され、右部材61及び左部材65は略対象とされるものであり、右部材61及び左部材65の各本体部43の周縁下方の所定範囲を内側に突出させて右部材61と左部材65とを合わせたとき、この合わせ面を中心として回動固定部27を挟持するように収納する収納間隙を形成することができるものとしている。
【００２６】
また、右部材61における本体部43の周縁部近傍には、本体部43の内側から外側に連通する扇方の確認窓51が形成され、この確認窓51の一部には確認窓51の内側に僅かに突出する指標突起53が形成されるものである。
【００２７】
また、この右部材61における本体部43の内側中央には図示しない雌ネジが形成され、固定つまみ71の雄ネジであるネジ部75が螺合されるものであり、左部材65の本体部43の中央にはネジ部75が貫通するつまみ取付穴55が設けられている。
【００２８】
そして、固定つまみ71は、円柱状のつまみ部73の一端からつまみ部73よりも直径の小さな雄ネジであるネジ部75を有し、雄ネジを左部材65のつまみ取付穴55を貫通させてつまみ部73の端面でつまみ取付穴55の周縁を押圧することができるようにしているものである。
【００２９】
尚、回動固定部27の回転軸となる固定つまみ71のネジ部75は、基準部23の上面25と平行となるように本体部43に取り付けられるものである。
【００３０】
また、取付部45も右部材61と左部材65とで対象に形成され、右部材61と左部材65とで回動固定部27を挟むようにして右部材61と左部材65とをビス79により一体とし基準部23を取付部45の略対象の位置に位置させたとき、基準部23の上面25と取付部45の底面とが平行となるようにしているものである。
【００３１】
また、この取付部45には、カメラ89の筐体に設けられるストロボライト等を取り付けるためのアクセサリー取付レールに天測用調整具10を固定できるように、天測用調整具10の取付部45の端部を挿入固定可能とする固定溝47を設けている。
【００３２】
そして、基準部23の上面25と取付部45の底面を平行としたとき、高度読み取り窓の指標突起53が回動固定部27に設けた目盛部39の基準点（０度目盛）と一致するようにしている。
【００３３】
さらに、固定つまみ71を回転させて緩めると、基準部23を含む測定部21を本体部43に対して回動させることができ、基準部23を所定角度だけ回転させて固定つまみ71を捻じ込むと、つまみ部73の端部がつまみ取付穴55の周縁を押圧して回動固定部27を本体部43に対して回転しないように固定することができ、このときの基準部23の上面25と取付部45の底面との交わる角度を目盛部39の数値から読み取ることができる。
【００３４】
このため、この調整具は、基準部23の上面25が形成する平面と取付部45の底面が形成する平面の交わる角度を確認窓51に見える回動固定部27の目盛の数値を読み取ることにより、容易に知ることができるものである。
【００３５】
従って、この天測用調整具10を用いて天体撮影の準備を行うとき、先ず天体を観測する地点の緯度又は北極星の高度を確認窓51の指標突起53の位置に回動固定部27の目盛を合わせておき、この天測用調整具10を、図４に示すように天体観測用雲台85に取り付け、この天体観測用雲台85を三脚80に固定し、天体観測用雲台85の回転板86にカメラ固定具87を用いてカメラ89を固定する。
【００３６】
そして、三脚80の操作レバー81を操作して天体観測用雲台85を傾け、水準器31を読み取って基準部23の上面25を水平とし、且つ、円板磁石33により方位を読み取って天体観測用雲台85の正面を北に向けると、天体観測用雲台85の正面即ち回転板86を北極星に正対させることが容易に可能となる。
【００３７】
その後、天体観測用雲台85の極軸望遠鏡により視野内の北極星を視野中心に合わせると、回転板86を正確に北極星に正対させることができる。
【００３８】
この後、カメラ固定具87に取り付けたカメラ89の視野に所望の星を捉えるようにして撮影を開始し、回転板86を１時間間に１５度の角度で微速回転させると、カメラ89は所定の星の運行に合わせて極軸を中心に回転し、長時間露出の写真であっても、カメラ89の視野内の星を静止状態として撮影することができる。
【００３９】
このように、本実施の形態による天測用調整具10を用いれは、水準器31と高度目盛により取付部45の底面が水平に対する傾きの角度を読み取ることができ、円板磁石33により方位を知ることができるため、天体観測用雲台85や簡易赤道義に取り付けて雲台や赤道義を容易に北極星に向けることができる。
【００４０】
従って、日食や月食などの観察においても、北極星に頼らずに極軸の設定が可能となり、太陽や月の移動に対して事前にカメラの向きを合わせたり、カメラの向きを変化させるように設定することも容易となる。
【００４１】
尚、南半球においては、北極星のように極軸の基準となる星が存在しないため、観測点の緯度（高度）と方位に基づいて極軸合わせを行わなければならず、簡易赤道義等では、極軸の設定調整に手数と時間とを要しつつ注意深く行わなければならない場合もあったが、この天測用調整具10を使用することにより容易に極軸合わせを行うことができる。
【００４２】
更に、この天測用調整具10は小型軽量で携帯が容易であり、取付部45によって赤道義等への取付が容易であり、望遠鏡の鏡筒や赤道義にこの天測用調整具10を取り付けることにより、星を自動で望遠鏡の視野に導入する装置の初期設定や初期設定の確認を行うこともできる。
【００４３】
また、例えば「ダイヤモンド富士」と呼ばれるように、太陽が富士山に掛かる自然現象の様な特定の天文現象と密接な自然写真をカメラ89で撮影する場合に天体の位置と撮影風景の所定範囲にカメラ89を向けて設定しておく場合にも、この天測用調整具10をカメラ89のアクセサリー固定部に固定し、カメラ89を所定の方位及び高度に合わせておき、視野内に自然風景を捉えておけば、天体が所定の時刻に所定位置に達したときに固定したカメラ89の視野内に天文現象を確実に捉えて自然風景と合わせた天文現象の写真を容易に得ることができる。
【００４４】
また、カメラ89に固定する場合に限ることなく、天体望遠鏡にこの天測用調整具10を取り付け、星座表などを用いて所望の天体の高度と方位を読み取り、天測用調整具10により高度と方位を合わせて天体望遠鏡を目的の天体に合わせることも容易となる。
【００４５】
更に、天体観測に使用する場合に限ることなく、双眼鏡や地上望遠鏡に取り付け、観測方向の方位や角度（仰角又は俯角）を読み取って地点観測を行うこともできる。
【００４６】
そして、この天測用調整具10には、図５に示すような補助部品としての固定スペーサ91を用いることもある。
【００４７】
この固定スペーサ91は、平板状の本体の上面25に固定レール93を有して天測用調整具10の取付部45を固定可能とし、本体の一端近くに貫通穴を有して取付ネジ95を挿入可能とし、簡易赤道義やカメラ89や望遠鏡に取付ネジ95を用いて、又は、更にクランプを取付ネジ95により固定スペーサ91に固定してクランプにより種々の機器に取り付け可能としている。
【００４８】
尚、図１乃至図３に示した上記実施の形態では、水準器31を方位磁石や基体部41、取付部45等の中心を通る平面上に配置しているも、水準器31の取付位置は、方位磁石である円板磁石33と共に基準部23に設けて基準部23の上面25の水平を確認することができれば足りるものである。
【００４９】
更に、目盛部39の中心角は１６０度乃至１８０度に限ることなく、１４０度程度とすることもあり、また、目盛部39の基準点（０度位置）は目盛部39の中央に限ることなく、基準点からの測定部21の前方回動範囲と後方回動範囲とを不均等とすることもある。
【符号の説明】
【００５０】
１０  天測用調整具
２１  測定部                            ２３  基準部
２５  上面                              ２７  回動固定部
２９  軸穴                              ３１  水準器
３３  円板磁石                          ３５  カバーガラス
３７  指標線                            ３８  突起
３９  目盛部                            ４１  基体部
４３  本体部                            ４５  取付部
４７  固定溝                            ５１  確認窓
５３  指標突起                          ５５  つまみ取付穴
６１  右部材                            ６５  左部材
７１  固定つまみ                        ７３  つまみ部
７５  ネジ部                            ７９  ビス
８０  三脚                              ８１  操作レバー
８５  天体観測用雲台                    ８６  回転板
８７  カメラ固定具                      ８９  カメラ
９１  固定スペーサ                      ９３  固定レール
９５  取付ネジ
【図１】
0005463370.tif 000002
【図２】
0005463370.tif 000003
【図３】
0005463370.tif 000004
【図４】
0005463370.tif 000005
【図５】
0005463370.tif 000006